(57)【特許請求の範囲】
【請求項１】
棒状化粧料１を保収嵌保持し、側壁に螺合突部３を突設した保持筒２と、該保持筒２を上下摺動自在に内装し、側壁に前記螺合突部３が貫通するガイド溝５を穿設し、下部側壁に係合凹部３３を設けた身筒４と、該身筒４に嵌合し、内壁に前記螺合突部３が螺合する螺旋溝２９を螺設し、下部内壁に前記係合凹部３３に回動自在に脱落不能に係合する内周リブ２１ｂを突設したスリーブ１３と、前記身筒４の下部を脱落不能に保持する本体筒１４と、該本体筒１４の上部に止着され、キャップ１６が抜脱可能に嵌合する嵌合部３０を設けた嵌合筒１５とより構成され、
前記保持筒２、身筒４、及びスリーブ１３の少なくとも１つが、異なる材質より成形され、前記身筒４下部と本体筒１４を回動不能に脱落不能に、しかし抜脱可能に連結し、身筒４を上部身筒４ａと下部身筒４ｂに分割し、上部身筒４ａにはガイド溝５を設け、下部に外径が拡大した拡径部１７を設け、下端付近に一対の窓部３４を水平方向に穿設し、下部身筒４ｂには、上部身筒４ａ下端より侵入する舌片状の挿入部８を連接し、該挿入部８の先端部側壁には、前記窓部３４より外部に突出するフック３２を突設し、該フック３２の一方の端面をテーパー状に削除してカム部８３を構成し、
前記フック３２が上部身筒４ａの窓部３４より突出した状態で、フック３２下方に係合凹部３３を構成し、上部身筒４ａと下部身筒４ｂをカム部８３方向に相対回転させると、フック３２のカム部８３によってフック３２が窓部３４内に引き込まれ、係合凹部３３との係合を解除させる事を特徴とする棒状化粧料繰り出し容器。
【請求項２】
前記下部身筒４ｂの側壁に凹溝３７が周設され、該凹溝３７の下方側壁全周に縦リブ２１ａを刻設し、前記本体筒１４内壁若しくは嵌合筒１５下部内側壁に、前記凹溝３７及び縦リブ２１ａに係合して身筒４と本体筒１４を回動不能に脱落不能に、しかし抜脱可能に係合する係合突部２７を突設した事を特徴とする請求項１記載の棒状化粧料繰り出し容器。
【請求項３】
前記下部身筒４ｂを上下に貫通した筒体とし、前記本体筒１４内に、身筒４と本体筒１４が連結した状態で、下部身筒４ｂ内に侵入し、前記挿入部８の背後に位置して挿入部８の変形を阻止し、フック３２の窓部３４内への引き込みを防止させる脱落防止部材８２を内装止着した事を特徴とする請求項１、請求項２記載の棒状化粧料繰り出し容器。
【請求項４】
前記スリーブ１３の内壁全周に、前記螺合突部３の幅よりも狭い螺旋条を無数条螺設して螺旋状ローレット２４を構成し、保持筒２の螺合突部３の螺合面２５には、隣り合った複数条の螺旋条と螺合する事を特徴とする請求項１、請求項２、請求項３記載の棒状化粧料繰り出し容器。
【請求項５】
前記上部身筒４ａのガイド溝５と拡径部１７の間の外周壁に、拡径部１７とほぼ同径まで突出した複数個の摺接突部３５を均等に配置し、スリーブ１３の内壁に摺接突部３５が弾性を有して当接する摺接部７７を突設した事を特徴とする請求項１、請求項２、請求項３、請求項４記載の棒状化粧料繰り出し容器。
【請求項６】
前記摺接突部３５の少なくとも１つの周囲肉厚を減少させて窪み７４を構成し、該窪み７４の深さを増減させる事により、スリーブ１３の摺接部７７に当接する弾性を調整し、繰り出し操作感を調整する事を特徴とする請求項５記載の棒状化粧料繰り出し容器。
【発明の詳細な説明】
【０００１】
【発明の属する技術分野】
本発明は、口紅、リップクリーム等の棒状の化粧料を、容器から繰り出して使用する棒状化粧料繰り出し容器に関するものである。
【０００２】
【従来の技術】
従来、口紅などの棒状の繰り出し容器は、棒状の化粧料を保持する保持筒、この保持筒を上下摺動自在に内装した身筒、この身筒に回動自在に保持され、内壁に螺旋溝を螺設したスリーブ、身筒の下部が止着される本体筒、本体筒の上端に止着され、キャップが抜脱可能に嵌合する嵌合筒等により構成されていた。そして、この種の容器は、使用中に不用意に分解してしまわない様、強固に固定されていた。また、この繰り出し容器を構成する部材は、機能の面、加飾の面から、樹脂材料、金属材料など、多種多様な材料から構成されていた。
【０００３】
しかし、近年になって、年々増加する廃棄物の処理や、地球資源の枯渇問題が社会問題化しており、ゴミの排出量の抑制と、資源ゴミのリサイクル促進の必要性が高まってきている。このため、ゴミの分別を義務づける自治体も増えてきており、製造業者にも容器包材リサイクル法により容器や包装材のリサイクルが義務づけられてきている。しかし、従来技術で説明したような棒状化粧料容器では、不用意に分解してしまわない様強固に組み付けられているため、使用しなくなった容器を廃棄する際に、合成樹脂廃棄物と金属廃棄物に分別できず、分別廃棄に対応できていなかった。
【０００４】
そこで、特開平１０−８５０３９号公報や特開平１０−１０８７２８号公報等により、保持筒、身筒、スリーブよりなる構造部を、本体筒、嵌合筒、キャップよりなる外装体より、（ちょうどカートリッジ式容器のように）抜脱可能に構成して外装体と構造部を分離できるようにし、さらに構造体の身筒に凹溝を刻設し、スリーブの内周にこの凹溝と回動自在に係合する内周リブを周設した構成が提案されている。
【０００５】
前者の構成では、身筒の側面に凹溝の一部分に無理抜きが可能なカット部を設け、スリーブを無理抜きする事により、身筒が変形して、凹溝と内周リブの係合を解除できるようになっていた。また、後者の構成は、身筒の下端部より、凹溝を横切って切り欠きを設け、切り欠きを摘まむ事によって、凹溝部分を内方向に窄ませ、凹溝と内周リブの係合を解除できるようになっていた。そして、樹脂材料より成形される事の多い保持筒、身筒と、金属材料より成形される事の多いスリーブとを分離する事ができた。
【０００６】
【発明が解決しようとする課題】
しかし、前者の構成の場合、凹溝の内側に保持筒がある場合には、身筒の変形を阻止できるのであるが、保持筒が少しでも凹溝よりずれてしまうと、身筒が変形可能となるため、不用意にスリーブが抜け取れてしまう危険性があった。つまり、保持筒の位置によっては、外装体より構造部を抜取る際、スリーブを保持して抜き取るのであるが、スリーブのみ抜け取れてしまい、構造部が抜脱不能となってしまう危険性があった。そのため、身筒の変形強度と、構造部の係合強度のバランスを取るのが大変シビアになっていた。
【０００７】
また、後者の構成の場合、構造部が外装体に係合してる時点では、身筒の下部が内方向に窄まらない様になっているため、前者のような身筒の変形強度と、構造部の係合強度のバランス設定は必要ない。しかし、構造部の状態で、身筒の切り欠きを摘まんで凹溝部分を内方向に窄ませなければならないため、ある程度の力が必要となり、女性では操作できない人が出てしまう可能性があった。
【０００８】
【課題を解決するための手段】
本発明では、上記問題点を解決するため、棒状化粧料１を保収嵌保持し、側壁に螺合突部３を突設した保持筒２と、該保持筒２を上下摺動自在に内装し、側壁に前記螺合突部３が貫通するガイド溝５を穿設し、下部側壁に係合凹部３３を設けた身筒４と、該身筒４に嵌合し、内壁に前記螺合突部３が螺合する螺旋溝２９を螺設し、下部内壁に前記係合凹部３３に回動自在に脱落不能に係合する内周リブ２１ｂを突設したスリーブ１３と、前記身筒４の下部を脱落不能に保持する本体筒１４と、該本体筒１４の上部に止着され、キャップ１６が抜脱可能に嵌合する嵌合部３０を設けた嵌合筒１５とよりなる構成において、前記保持筒２、身筒４、及びスリーブ１３の少なくとも１つが、異なる材質より成形され、前記身筒４下部と本体筒１４を回動不能に脱落不能に、しかし抜脱可能に連結し、身筒４を上部身筒４ａと下部身筒４ｂに分割し、上部身筒４ａにはガイド溝５を設け、下部に外径が拡大した拡径部１７を設け、下端付近に一対の窓部３４を水平方向に穿設し、下部身筒４ｂには、上部身筒４ａ下端より侵入する舌片状の挿入部８を連接し、該挿入部８の先端部側壁には、前記窓部３４より外部に突出するフック３２を突設し、該フック３２の一方の端面をテーパー状に削除してカム部８３を構成し、前記フック３２が上部身筒４ａの窓部３４より突出した状態で、フック３２下方に係合凹部３３を構成し、上部身筒４ａと下部身筒４ｂをカム部８３方向に相対回転させると、フック３２のカム部８３によってフック３２が窓部３４内に引き込まれ、係合凹部３３との係合を解除させる。
【０００９】
【発明の実施の形態】
本発明実施の形態を図によって詳細に説明する。棒状化粧料１を収嵌保持した保持筒２は、側壁に螺合突部３を突設している。この螺合突部３は、対向した位置に２ヶ所に設けられている。
【００１０】
この保持筒２は、上部身筒４ａ内に上下摺動自在に内装されている。この上部身筒４ａの側壁には、前記保持筒２の螺合突部３が貫通して保持筒２を上下摺動自在に回動不能に案内するガイド溝５が軸線と平行に穿設されている。このガイド溝５の下方には、複数の摺接突部３５が突出している。この摺接突部３５は、上部身筒４ａの円周に均等に配置されている。更に、摺接突部３５の下方には、外径が拡大した拡径部１７が設けられ、該拡径部１７に水平方向にスリット状の窓部３４が穿設されている。この窓部３４は、上部身筒４ａの円周の対向した位置に２ヶ所に設けられている。なお、前記摺接突部３５の突出量と、拡径部１７の外径は、ほぼ同一径となっている。この上部身筒４ａの下端には、鍔部２６が突出している。
【００１１】
この上部身筒４ａの下端には、下部身筒４ｂの挿入部８が嵌合している。この挿入部８は、一対の舌片状をしており、側壁には、上部身筒４ａの窓部３４より外部に突出するフック３２が突出して、上部身筒４ａと下部身筒４ｂが連結している。このフック３２は、上面がテーパー状をしており、下面が鋭角となっており、下方より挿入しやすく、抜けにくい構成となっている。そして、フック３２下方に係合凹部３３を構成している。また、フック３２それぞれの一方の端部は、テーパー状に削除されたカム部８３となっており、下部身筒４ｂをカム部８３方向に回転させると、カム効果によって挿入部８を内方向に屈曲させ、フック３２の突出量が減少するようになっている。この挿入部８の下方は上部身筒４ａの下端より突出した基部９となっている。この基部９は、上下に貫通した筒状をしており、側壁には、凹溝３７が周設されている。この凹溝３７の下方側壁全周には、縦リブ２１ａが刻設されている。
【００１２】
この上部身筒４ａには、スリーブ１３が回動自在に嵌合している。このスリーブ１３の内壁には、前記身筒４のガイド溝５を貫通した保持筒２の螺合突部３が螺合する螺旋溝２９が螺設されてる。この螺旋溝２９は、下方に開いており、螺合突部３が下方より螺合できるようになっている。また、この螺旋溝２９の下方内周には、前記上部身筒４ａの摺接突部３５が弾性を有して摺接する摺接部７７を突設している。その結果、回転繰り出し操作をした際、身筒４とスリーブ１３との間に相対回転が生じ、摺接突部３５と摺接部７７の間に摺動抵抗が発生し、繰り出し操作感を良好なものに調節する。この摺接部７７の下方には、身筒４の係合凹部３３に回動自在に脱落不能に係合する内周リブ２１ｂを突設している。そして、下部身筒４ｂのフック３２が窓部３４より突出した状態では、身筒４とスリーブ１３は回動自在に脱落不能に連結し、下部身筒４ｂの挿入部８が変形してフック３２が内方向に引き込んで、係合凹部３３がなくなった状態ではスリーブ１３が抜脱可能となるようになっている。
【００１３】
以上説明の保持筒２、身筒４、スリーブ１３により構造部Ｄを構成している。次にこの構造部Ｄを抜脱可能に装着する容器本体Ｂについて説明する。容器本体Ｂは、本体筒１４、嵌合筒１５、キャップ１６、脱落防止部材８２とよりなっている。
【００１４】
本体筒１４の底部には、脱落防止部材８２が止着されている。この脱落防止部材８２は、構造部Ｄを容器本体Ｂに装着した際、下部身筒４ｂ内に侵入し、挿入部８の背後に位置して、挿入部８の変形を阻止し、不用意にスリーブ１３が脱落しない様になっている。
【００１５】
更に本体筒１４には、嵌合筒１５が止着されている。この嵌合筒１５は、本体筒１４上端より突出して、キャップ１６が抜脱可能に嵌合する嵌合部３０を設けている。この嵌合筒１５の下部は、本体筒１４内に侵入しており、内壁には、前記下部身筒４ｂの凹溝３７及び縦リブ２１ａに係合して、構造部Ｄを回動不能に脱落不能に、しかし抜脱可能に保持する係合突部２７を突設している。
【００１６】
本発明は以上構成のため、構造部Ｄが容器本体Ｂに装着した状態で、本体筒１４を保持してスリーブ１３を回転操作すれば、本体筒１４に回動不能に係合した身筒４とスリーブ１３が相対回転し、ガイド溝５を回動不能に貫通した保持筒２の螺合突部３が相対回転するスリーブ１３の螺旋溝２９に螺合しているため、螺合作用により保持筒２が上下摺動し、棒状化粧料１が繰り出される。
【００１７】
棒状化粧料１を使用し終わって、容器を廃棄する場合、容器本体Ｂを保持して構造部Ｄを引き抜く。ここで、構造部Ｄのスリーブ１３を保持して、下部身筒４ｂをフック３２のカム部８３の方向に回転させると、フック３２がカム部８３によって上部身筒４ａの窓部３４より引き込まれ、スリーブ１３の内周リブ２１ｂと係合凹溝３７の係合が解除され、スリーブ１３が身筒４より抜脱可能となる。そして、保持筒２、身筒４、スリーブ１３が分解でき、分別廃棄できる。
【実施例】
本発明を実施する場合、保持筒２の螺合突部３は２個に限定されるものではなく、１個若しくは複数個でも良い。この場合、螺合突部３は保持筒２の円周上に均等に配置し、螺合突部３の数に対応した数のガイド溝５及び、螺合突部３の数に対応した条数の螺旋溝２９を設ける必要がある。
【００１８】
また、上部身筒４ａの摺接突部３５の数は、身筒４とスリーブ１３の回転軸を一致させるため、３個以上が望ましい。この場合も上部身筒４ａの円周に摺接突部３５を均等に配置する必要がある。更に摺接突部３５の少なくとも１ヶ所の周囲を肉薄にして窪み７４を設け、弾性を調節する事により、身筒４とスリーブ１３の摺接程度を調整でき、回転繰り出し操作感を微調整できるようになる。
【００１９】
この回転繰り出し操作感に摺動抵抗を付与させる構成としては、摺接突部３５を突設した構成を説明したが、その他、Ｏリングを利用した周知の摺動抵抗付与機構も実施可能である。この場合、Ｏリングの外径を上部身筒４aの拡径部１７の外径とほぼ一致させ、スリーブ１３内壁に摺接部７７を突設してＯリングを摺接させる必要がある。
【００２０】
また、保持筒２の螺合突部３の数とスリーブ１３の螺旋溝２９の条数を一致させた構成を説明したが、スリーブ１３の螺旋溝２９を浅く細かい溝を内壁全周に無数条螺設した螺旋状ローレット２４にし、この螺旋状ローレット２４に螺合突部３を螺合させる事も可能である。この場合、螺合突部３の螺合面２５には、隣り合った複数条の螺旋状ローレット２４が螺合している。その結果、複数条の螺旋溝に一つの螺合突部３が螺合するため、螺合によるバックラッシュをほとんどゼロに近づける事が可能となり、保持筒２のガタツキをなくし、棒状化粧料１の損傷も防げる。複数条の螺旋溝に一つの螺合突部３が螺合するため、螺旋溝１つに対する螺合突部３の引っ掛かりの量を少なくできるため、スリーブ１３の肉厚を薄くでき、スリーブ１３の外径を収容した棒状化粧料１の外径と比較して細くできる。螺旋条がスリーブ１３内壁全周に螺設されているため、保持筒２の螺合突部３を螺合させる際の位置合わせが必要なくなり、組立ての手間が省ける。保持筒２の螺合突部３を螺合させる際の位置合わせが必要なくなるため、組立ての自動化を計りやすい。などの利点が生じる。
【００２１】
また、脱落防止部材８２は、本体筒１４、嵌合筒１５とは別の部材として本体筒１４内に止着する構成を説明したが、本体筒１４若しくは、嵌合筒１５の下部に連接して構成しても良い。
【００２２】
【発明の効果】
本発明は以上のように、身筒４を上部身筒４ａと下部身筒４ｂに分割し、この上部身筒４ａのフック３２が下部身筒４ｂの窓部３４より突出する事により、スリーブ１３の内周リブ２１ｂが回動自在に係合する係合凹部３３を構成したため、フック３２を窓部３４より突出させなければ、スリーブ１３の内周リブ２１bが係合せず、スリーブ１３が簡単に抜脱できるようになる。この、フック３２を窓部３４より引っ込める方法として、フック３２の一方の端面を削除してカム部８３を設け、このカム部８３を利用したため、下部身筒４ｂをカム部８３の方向に回転させればカムの作用により簡単にフック３２が窓部３４より引っ込ませる事ができる。したがって、力の弱い女性でも充分に操作可能となっている。
【００２３】
しかも、構造部Ｄが容器本体Ｂに装着されている状態では、下部身筒４ｂ内に本体筒１４内に止着された脱落防止部材８２が侵入し、フック３２の背後に位置しているため、フック３２が窓部３４内に引っ込むのを防止している。この状態では、スリーブ１３は身筒４より抜脱不能の状態となっている。したがって、容器を分解するのに、スリーブ１３を引っ張ったとしても、スリーブ１３が抜け取れる事なく、構造部Ｄと容器本体Ｂの係合を解除できる。更に、構造部Ｄ単体の時は、フック３２を突設した挿入部８が屈曲可能となり、前述したように簡単にフック３２を窓部３４より引っ込める事ができ、スリーブ１３を分解できる。
【図面の簡単な説明】
【図１】本発明実施例の棒状化粧料繰り出し容器の正面断面図。
【図２】本発明実施例の棒状化粧料繰り出し容器の棒状化粧料を繰り出した状態の正面断面図。
【図３】通常状態の構造部の正面断面図。
【図４】通常状態の身筒の斜視図。
【図５】分解状態の構造部の正面断面図。
【図６】分解状態の身筒の斜視図。
【図７】フック部分の断面図であり、（ａ）は、構造部を容器本体に装着した状態の断面図。（ｂ）は、構造部単体の状態での断面図。（ｃ）は、分解状態での断面図である。
【図８】下部身筒の基部部分の断面図。
【図９】摺接突部部分の断面図。
【図１０】スリーブの他の実施例を利用した棒状化粧料繰り出し容器の断面図である。
【符号の説明】
１    棒状化粧料
２    保持筒
３    螺合突部
４    身筒
４ａ  上部身筒
４ｂ  下部身筒
５    ガイド溝
８    挿入部
１３    スリーブ
１４    本体筒
１５    嵌合筒
１６    キャップ
１７    拡径部
２１ａ  縦リブ
２１ｂ  内周リブ
２４    螺旋状ローレット
２５    螺合面
２７    係合突部
２９    螺旋溝
３０    嵌合部
３２    フック
３３    係合凹部
３４    窓部
３５    摺接突部
３７    凹溝
７４    窪み
７７    摺接部
８２    脱落防止部材
８３    カム部
【図１】
0003666573.tif 000002
【図２】
0003666573.tif 000003
【図３】
0003666573.tif 000004
【図４】
0003666573.tif 000005
【図５】
0003666573.tif 000006
【図６】
0003666573.tif 000007
【図７】
0003666573.tif 000008
【図８】
0003666573.tif 000009
【図９】
0003666573.tif 000010
【図１０】
0003666573.tif 000011